(57)【要約】【課題】上から取手に荷重を掛けても取手の係合端部が電槽の係止具から外れない、利便性の高い取手付き鉛蓄電池を供給する。【解決手段】相対する側壁の外面に係止具を設けた電槽と、ベルト部の両端に係合端部を設けた取手からなり、係止具と係合端部とを係着して電槽に取手を接続する蓄電池の取手接続構造であって、側壁の外方へと折り曲がった屈曲部を取手に設け、ベルト部と膨頭部を有する脚部の終端と接続した幅広の終端部を係合端部に設け、側壁の外方へ突出させ先端を対向させた一対の抜け止め片と溝を係止具に設け、抜け止め片と側壁で囲まれた空間部に脚部を嵌入して膨頭部の下面を抜け止め片の上縁と対向させつつ終端部の上縁を一対の抜け止め片の下縁に当接させることで取手が電槽に固定され、膨頭部を幅方向の内方へ押圧して取手を下方に引くことで取手が電槽から外れる。【選択図】図１
2011192630.tif 000002
【特許請求の範囲】
【請求項１】
相対向する側壁の外面にそれぞれ係止具を設けた電槽あるいは蓋と、ベルト部の両端に係合端部を設けた取手からなり、前記係止具と前記係合端部とをそれぞれ係着することで前記電槽あるいは前記蓋に前記取手を接続する蓄電池の取手接続構造であって、
前記取手のいずれかの箇所に、前記側壁の外方に向けて折り曲げられた屈曲部を設け、
前記係合端部に、前記側壁の外方に突出した膨頭部を前記屈曲部より上方に有する脚部と、前記ベルト部および前記ベルト部と隣り合った前記脚部のそれぞれの終端と接続しつつ幅方向に突出した終端部を設け、
前記係止具に、前記側壁の外方へ平行に突出させかつ先端を相対向するように折り曲げられた一対の抜け止め片と、前記一対の抜け止め片の間で構成される溝を設け、
前記一対の抜け止め片と前記側壁で囲まれた空間部のいずれか一方に前記脚部を嵌入して前記膨頭部の下面を前記抜け止め片の上縁と対向させ、かつ前記終端部の上縁を前記一対の抜け止め片の下縁に当接させることで、前記取手が前記電槽あるいは前記蓋に固定されるようになっており、
前記膨頭部を幅方向の内方へ押圧し、かつ前記取手を下方に引くことで、前記溝から前記ベルト部が内外に抜き差しし得るようになっていることを特徴とする、蓄電池の取手接続構造。
【請求項２】
前記係合端部において前記ベルト部の両隣に一対の前記脚部を設け、前記空間部の双方に一対の前記脚部を嵌入させることを特徴とする、請求項１記載の蓄電池の取手接続構造。
【請求項３】
前記膨頭部の外側面を、先端ほど幅が細くなる円弧形状としたことを特徴とする、請求項１記載の蓄電池の取手接続構造。
【請求項４】
前記脚部と前記ベルト部の間に隙間を設け、この隙間を前記終端部から前記膨頭部にかけて徐々に小さくしたことを特徴とする、請求項１記載の蓄電池の取手接続構造。
【請求項５】
前記脚部と前記ベルト部の間に実質的に隙間を設けないようにしたことを特徴とする、請求項１記載の蓄電池の取手接続構造。
【請求項６】
正極と負極とセパレータとからなる極板群と、複数の前記極板群を収納するための複数のセル室を有する電槽と、電解液と、複数の前記極板群を直列および／あるいは並列に接続する接続部品と、正極端子および負極端子を備えかつ前記電槽の開口上面と接合される蓋と、前記電槽あるいは蓋を吊り下げるための取手とからなる取手付き鉛蓄電池であって、前記電槽あるいは蓋の相対向する側壁の外面に、前記側壁の外方へ平行に突出させかつ先端を相対向するように折り曲げられた一対の抜け止め片と、前記一対の抜け止め片の間で構成される溝からなる係止具をそれぞれ設け、前記取手を、ベルト部の両端に係合端部を設けた形状とし、
前記取手のいずれかの箇所に、外方に向けて折り曲げられた屈曲部を設け、
前記係合端部に、前記側壁の外方に突出した膨頭部を前記屈曲部より上方に有する脚部と、前記ベルト部および前記ベルト部と隣り合った前記脚部のそれぞれの終端と接続しつつ幅方向に突出した終端部を設け、
前記一対の抜け止め片と前記側壁で囲まれた空間部のいずれか一方に前記脚部を嵌入して前記膨頭部の下面を前記抜け止め片の上縁と対向させ、かつ前記終端部の上縁を前記一対の抜け止め片の下縁に当接させることで、前記取手を前記電槽あるいは前記蓋に固定し、前記膨頭部を幅方向の内方へ押圧し、かつ前記取手を下方に引くことで、前記溝から前記ベルト部が内外に抜き差しし得るようにしたことを特徴とする、取手付き鉛蓄電池。
【請求項７】
前記係合端部において前記ベルト部の両隣に一対の前記脚部を設け、前記空間部の双方に一対の前記脚部を嵌入させたことを特徴とする、請求項６記載の取手付き鉛蓄電池。
【請求項８】
前記膨頭部の外側面を、先端ほど幅が細くなる円弧形状としたことを特徴とする、請求項６記載の取手付き鉛蓄電池。
【請求項９】
前記脚部と前記ベルト部の間に隙間を設け、この隙間を前記終端部から前記膨頭部にかけて徐々に小さくしたことを特徴とする、請求項６記載の取手付き鉛蓄電池。
【請求項１０】
前記脚部と前記ベルト部の間に実質的に隙間を設けないようにしたことを特徴とする、請求項１記載の請求項６記載の取手付き鉛蓄電池。
【発明の詳細な説明】
【技術分野】
【０００１】
本発明は、取手付き鉛蓄電池およびこれの取手接続構造に関するものである。
【背景技術】
【０００２】
自動車のセルスタータや駆動源（補助電源の場合も含む）として需要の大きい鉛蓄電池は、主材料が鉛であるため比重が大きい。よって物流をはじめ販売にいたる流通段階、さらには機器や車両への搭載における荷扱いの利便性も、重要な機能のひとつになっている。この利便性への要望に応えるべく、持ち運びや交換作業に適した取手付き鉛蓄電池が開発されてきた。とりわけ日常的に多くの鉛蓄電池を取り扱う物流・流通業者やカーショップ、ホームセンターなどの量販店が取手付き鉛蓄電池を所望する場合が多いため、需要も堅調である。
【０００３】
補修用をはじめとした自動車用鉛蓄電池は、段ボール等の外装箱に梱包された状態で流通および販売される。すなわち外装箱に梱包された状態でも、外装箱から取り出すときでも、さらには取り出した後でも、取手による吊り下げができることが望ましい。この取手が流通・販売・作業時に外れて鉛蓄電池が落下すると、鉛蓄電池自体が破損するばかりでなく、人体に損傷を来たす虞があるので、取手の装着は頑強である必要がある。
【０００４】
一方、鉛蓄電池を車載した後で、エンジンの熱から鉛蓄電池を保護する断熱カバーと、鉛蓄電池に取り付けた取手が干渉する場合がある。また液式鉛蓄電池の場合は、メンテナンスとしての補水の際に、取手が邪魔になる。以上のことを鑑みれば、鉛蓄電池から取手が容易に取り外せることも重要である。
【０００５】
上述した２つの要望（頑強な装着と取り外しの容易性）を満たすべく、蓄電池から取手をワンタッチで着脱できる接続構造が開示されている（例えば、特許文献１）。
【先行技術文献】
【特許文献】
【０００６】
【特許文献１】特許第３６７８５４６号公報
【発明の概要】
【発明が解決しようとする課題】
【０００７】
しかしながら特許文献１の内容に沿って構成した鉛蓄電池において、上方から誤って取手に荷重を掛けた際に、取手の係合端部が電槽の係止具から外れやすくなるという課題があることがわかった。
【０００８】
本発明は上述した課題を解決するものであって、上方から誤って取手に荷重を掛けても、取手の係合端部が電槽の係止具から外れることのない、利便性の高い取手付き鉛蓄電池を供給することを目的とする。
【課題を解決するための手段】
【０００９】
前記の課題を解決するために、本発明の請求項１に係る発明は、相対向する側壁の外面にそれぞれ係止具を設けた電槽あるいは蓋と、ベルト部の両端に係合端部を設けた取手からなり、係止具と係合端部とをそれぞれ係着することで電槽あるいは蓋に取手を接続する蓄電池の取手接続構造であって、取手のいずれかの箇所に側壁の外方に向けて折り曲げられた屈曲部を設け、側壁の外方に突出した膨頭部を屈曲部より上方に有する脚部と、ベルト部およびこれと隣り合った脚部のそれぞれの終端と接続しつつ幅方向に突出した終端部を係合端部に設け、側壁の外方へ平行に突出させかつ先端を相対向するように折り曲げられた一対の抜け止め片と、一対の抜け止め片の間で構成される溝を係止具に設け、一対の抜け止め片と側壁で囲まれた空間部のいずれか一方に脚部を嵌入して膨頭部の下面を抜け止め片の上縁と対向させつつ終端部の上縁を一対の抜け止め片の下縁に当接させることで、取手が電槽あるいは蓋に固定されるようになっており、膨頭部を幅方向の内方へ押圧しかつ取手を下方に引くことで、溝からベルト部が内外に抜き差しし得るようになっていることを特徴とする。
【００１０】
取手は通常、樹脂製である。特許文献１のように、抜け止め片と側壁で囲まれた空間部に係合片を差し込みつつ係合端部の一部を係止具の一部に当接させるだけでは、冬場などに上方から誤って取手に荷重を掛けた場合、樹脂の硬化によりベルト部が撓む前に係止具から係合端部が抜けやすくなる。そこで相対向するように折り曲げられた一対の抜け止め片と相対向する側壁で囲まれた空間部に脚部を嵌入し、膨頭部の下面を抜け止め片の上縁と対向させることで、上方から誤って取手に掛けた荷重は、膨頭部の下面が抜け止め片の上縁を押さえ付ける荷重に変換され、硬化した樹脂（ベルト部）が十分に撓むことができるので、取手の係合端部が電槽の係止具から外れなくなる。なお、それぞれの係合端部に脚部を一本ずつ設けた場合に上記の効果を発現させるためには、蓋の上面における重心に対して点対称となるように脚部を設置して取手を接続することが望ましい。
【００１１】
さらには蓋の上面に設けた液口栓から補水するなど、取手を取り外したい作業の際には、膨頭部を幅方向の内方へ押圧し、かつ取手を下方に引くことで、溝からベルト部を内外に抜き差しして取手が取り外せる。
【００１２】
なお脚部の厚みは、空間部の高さより小さくする必要がある。脚部の厚みが空間部の高さ以上の場合、脚部の嵌入が困難になり、膨頭部を所定位置までガイドできなくなる。また膨頭部の厚みは、空間部の高さより大きくする必要がある。膨頭部の厚みが空間部の高さ以下の場合、膨頭部の下面が抜け止め片の上縁と対向できなくなり、上方からの荷重によって取手が外れやすくなる。
【００１３】
また本発明の請求項２に係る発明は、請求項１の蓄電池の取手接続構造において、係合端部においてベルト部の両隣に一対の脚部を設け、空間部の双方に一対の脚部を嵌入させることを特徴とする。
【００１４】
脚部を一本ずつにして、蓋の上面における重心に対して点対称となるように膨頭部の下面を抜け止め片の上縁と対向させた形態よりも、請求項２の形態を採る方が、上方のみならず斜方からの荷重にも耐え得るようになるので、より好ましい。
【００１５】
また本発明の請求項３に係る発明は、請求項１の蓄電池の取手接続構造において、膨頭部の外側面を先端ほど幅が細くなる円弧形状としたことを特徴とする。
【００１６】
脚部を空間部に嵌入する過程は、膨頭部の先端が抜け止め片の内側面下端と接する第１段階と、膨頭部の外側面が抜け止め片の内側面と擦れ合いながら嵌入が進行する第２段階とに分けられる。膨頭部の外側面を先端ほど幅が細くなる円弧形状とすれば、膨頭部を幅方向の内方へ押圧しなくても、第１段階から第２段階へスムーズに移行できる。
【００１７】
また本発明の請求項４に係る発明は、請求項１の蓄電池の取手接続構造において、脚部とベルト部の間に隙間を設け、この隙間を終端部から膨頭部にかけて徐々に小さくしたことを特徴とする。
【００１８】
脚部を空間部に嵌入する過程で、脚部とベルト部の間に隙間を設け、この隙間を終端部から膨頭部にかけて徐々に小さくすれば、脚部が撓むことで膨頭部の嵌入が円滑に進むようになる。併せて取手を蓄電池から取り外す際にも、膨頭部を幅方向の内方へ押圧した際の変形量が大きいため、取り外しが円滑に進むようになる。
【００１９】
また本発明の請求項５に係る発明は、請求項１の蓄電池の取手接続構造において、脚部とベルト部の間に実質的に隙間を設けないようにしたことを特徴とする。
【００２０】
脚部とベルト部の間に実質的に隙間を設けなくすることで、脚部は撓みにくくなり、いったん嵌入された膨頭部が外れにくくなることで、蓄電池と取手との装着性はより強固になる。
【００２１】
また本発明の請求項６に係る発明は、正極と負極とセパレータとからなる極板群と、複数の極板群を収納するための複数のセル室を有する電槽と、電解液と、複数の極板群を直列および／あるいは並列に接続する接続部品と、正極端子および負極端子を備えかつ電槽の開口上面と接合される蓋と、電槽あるいは蓋を吊り下げるための取手とからなる取手付き鉛蓄電池であって、電槽あるいは蓋の相対向する側壁の外面に、側壁の外方へ平行に突出させかつ先端を相対向するように折り曲げられた一対の抜け止め片と、一対の抜け止め片の間で構成される溝からなる係止具をそれぞれ設け、取手をベルト部の両端に係合端部を設けた形状とし、取手のいずれかの箇所に外方に向けて折り曲げられた屈曲部を設け、側壁の外方に突出した膨頭部を屈曲部より上方に有する脚部と、ベルト部およびこれと隣り合った脚部のそれぞれの終端と接続しつつ幅方向に突出した終端部を係合端部に設け、一対の抜け止め片と側壁で囲まれた空間部のいずれか一方に脚部を嵌入して膨頭部の下面を抜け止め片の上縁と対向させつかつ終端部の上縁を一対の抜け止め片の下縁に当接させることで、取手を電槽あるいは蓋に固定し、膨頭部を幅方向の内方へ押圧しつつ取手を下方に引くことで、溝からベルト部が内外に抜き差しし得るようにしたことを特徴とする。
【００２２】
請求項１の蓄電池の取手接続構造における係止具を鉛蓄電池の電槽あるいは蓋に設けることで、請求項６の取手付き鉛蓄電池を得ることができる。
【００２３】
また本発明の請求項７に係る発明は、請求項６の取手付き鉛蓄電池において、係合端部においてベルト部の両隣に一対の脚部を設け、空間部の双方に一対の脚部を嵌入させたことを特徴とする。
【００２４】
請求項２の蓄電池の取手接続構造における係合端部を取手に設けることで、請求項７の取手付き鉛蓄電池を得ることができる。
【００２５】
また本発明の請求項８に係る発明は、請求項６の取手付き鉛蓄電池において、膨頭部の外側面を、先端ほど幅が細くなる円弧形状としたことを特徴とする。
【００２６】
請求項３の蓄電池の取手接続構造における係合端部（具体的には膨頭部）を取手に設けることで、請求項８の取手付き鉛蓄電池を得ることができる。
【００２７】
また本発明の請求項９に係る発明は、請求項６の取手付き鉛蓄電池において、脚部とベルト部の間に隙間を設け、この隙間を終端部から膨頭部にかけて徐々に小さくしたことを特徴とする。
【００２８】
脚部とベルト部との位置関係を請求項４のようにすることで、請求項９の取手付き鉛蓄電池を得ることができる。
【００２９】
また本発明の請求項１０に係る発明は、請求項６の取手付き鉛蓄電池において、脚部とベルト部の間に実質的に隙間を設けないようにしたことを特徴とする。
【００３０】
脚部とベルト部との位置関係を請求項５のようにすることで、請求項１０の取手付き鉛蓄電池を得ることができる。
【発明の効果】
【００３１】
本発明によれば、上方から誤って取手に荷重を掛けても、取手の係合端部が電槽の係止具から外れることがなくなるので、取手付き鉛蓄電池の利便性が高まる。
【図面の簡単な説明】
【００３２】
【図１】（ａ）本発明の取手接続構造および取手付き鉛蓄電池の一例における取手がない構成を示す図、（ｂ）係止具を示す拡大図、（ｃ）取手を接続する直前の構成を示す図、（ｄ）取手を接続した後の構成を示す図、（ｅ）取手の図、（ｆ）係合端部を示す拡大図
【図２】本発明の取手接続構造および取手付き鉛蓄電池の一例における取手を接続した後の構成を示す図
【図３】本発明の取手接続構造および取手付き鉛蓄電池における脚部とベルト部との好ましい位置関係の一例を示す図
【図４】本発明の取手接続構造および取手付き鉛蓄電池における脚部とベルト部との好ましい位置関係の他の例を示す図
【発明を実施するための形態】
【００３３】
以下、図面を用いて、本発明の実施形態による鉛蓄電池の構成を説明する。なお、本発明の各実施形態は、２Ｖのセルが電池内部で直列接続された１２Ｖのエンジン始動用の液式鉛蓄電池に本発明を適用した例について記載するが、本発明の取手付き鉛蓄電池を構成するセルの数や配置は、例示であって、所望とする電圧、形状に応じて適宜決定すべきものであり、セル数やセルの接続形態あるいはセル配置、さらには制御弁式鉛蓄電池を選択した場合等のバリエーションも、本発明の構成を有する限りにおいて、本発明の範囲に含まれる。
【００３４】
図１は、本発明の取手接続構造および取手付き鉛蓄電池の最良の形態の一例を示す図である。具体的には図１（ａ）は取手がない構成を、図１（ｂ）は係止具の拡大図を、図１（ｃ）は取手を接続する直前の構成を、図１（ｄ）は取手を接続した後の構成を、図１（ｅ）は取手を、図１（ｆ）は係合端部の拡大図を、それぞれ示している。なお取手付き鉛蓄電池の内部構成を詳述するために、図１（ａ）（ｃ）および（ｄ）は一部を内視する形で表している。
【００３５】
取手付き鉛蓄電池１は、正極２ａと負極２ｂとセパレータ２ｃとからなる極板群２と、複数の極板群２を収納するための複数のセル室（２枚の壁３ａの間で構成）を有する電槽３と、電解液（図示せず）と、複数の極板群２を直列および／あるいは並列に接続する接続部品４と、正極端子５ａと負極端子５ｂと液口栓５ｃとを備えかつ電槽３の開口上面と接合される蓋５と、電槽３を吊り下げるための取手６とからなる。
【００３６】
正極２ａは、鉛または鉛合金からなる格子と二酸化鉛とからなる。負極２ｂは、鉛または鉛合金からなる格子と海綿状鉛とからなる。セパレータ２ｃは、ガラス繊維や諸々の樹脂などからなる。これら複数の正極２ａと負極２ｂとを、セパレータ２ｃを介して交互に対峙させることで、極板群２が構成される。
【００３７】
電解液は、硫酸を主成分とする水溶液からなる。また接続部品４、正極端子５ａおよび負極端子５ｂは、鉛または鉛合金からなる。
【００３８】
液口栓５ｃはポリプロピレンなどの樹脂やエチレンプロピレンジエンゴムなどのゴム材料からなり、メンテナンスとしての補水（過充電に伴う加水分解に相応する水分の補給）の際に取り外すことができる。さらに電槽３および蓋５は、ポリプロピレンやアクリロニトリル−ブタジエン−スチレンなどの樹脂からなる。
【００３９】
電槽３の相対向する側壁３ｂの外面には、それぞれ係止具７を設けている。係止具７は、側壁３ｂの外方へ平行に突出させかつ先端を相対向するように折り曲げられた一対の抜け止め片７ａと、一対の抜け止め片７ａの間で構成される溝７ｂとからなる。
【００４０】
取手６は、ベルト部８の両端に係合端部９を設けた形状とし、取手６の一部には外方に向けて折り曲げられた屈曲部１０を設けている。係合端部９は、側壁３ｂの外方に突出した膨頭部９ｂを屈曲部１０より上方に有する一対の脚部９ａと、ベルト部８およびこれの両隣に配置した一対の脚部９ａのそれぞれの終端と接続しつつ幅方向に突出した終端部９ｄとからなる。
【００４１】
ここで抜け止め片７ａと側壁３ｂで囲まれた空間部に脚部９ａを嵌入し、膨頭部９ｂの下面９ｃをそれぞれ抜け止め片７ａの上縁と対向させつかつ終端部９ｄの上縁を一対の抜け止め片７ａの下縁に当接させることで、取手６が電槽３蓋に固定できる。なお膨頭部９ｂが屈曲部１０より上方に設けられることで、脚部９ａの嵌入が円滑化する。
【００４２】
一方、膨頭部９ｂを幅方向の内方へ押圧し、かつ取手６を下方に引くことで、溝７ｂからベルト部８が内外に抜き差しし得るようになり、取手６を取り外すことができる。
【００４３】
取手６は通常、樹脂製である。特許文献１のように、抜け止め片と側壁で囲まれた空間部に係合片を差し込みつつ係合端部の一部を係止具の一部に当接させるだけでは、冬場などに上方から誤って取手に荷重を掛けた場合、樹脂の硬化によりベルト部が撓む前に係止具から係合端部が抜けやすくなる。そこで図１のように、抜け止め片７ａと側壁３ｂで囲まれた空間部に脚部９ａを嵌入し、膨頭部９ｂの下面９ｃを抜け止め片７ａの上縁と対向させることで、上方から誤って取手６に掛けた荷重は、膨頭部９ｂの下面９ｃが抜け止め片７ａの上縁を押さえ付ける荷重に変換され、硬化した樹脂（ベルト部８）が十分に撓むことができるので、係合端部９が係止具７から外れなくなる。このような効果を際立たせるためには、膨頭部９ｂの外側面が脚部９ａから幅方向に突出するようにして、抜け止め片７ａの上縁と対向する膨頭部９ｂの下面９ｃの面積を増やすことが好ましい。
【００４４】
なお図１とは異なりそれぞれの係合端部９に脚部９ａを一本ずつ設けた場合に上記の効果を発現させるためには、蓋５の上面における重心に対して点対称となるように脚部９ａを設置し、取手６を接続することが望ましい。しかしながらベルト部８を挟むように脚部９ａを二本設け、抜け止め片７ａと側壁３ｂで囲まれた空間部の双方に一対の脚部９ａを嵌入させて膨頭部９ｂの下面９ｃを双方とも抜け止め片７ａの上縁と対向させる図１の構成の方が、上方のみならず斜方からの荷重にも耐え得るようになるので、より好ましい。
【００４５】
なお脚部９ａの厚みは、抜け止め片７ａと側壁３ｂで囲まれた空間部の高さより小さくする必要がある。脚部９ａの厚みが空間部の高さ以上の場合、脚部９ａの嵌入が困難になり、膨頭部９ｂを所定位置までガイドできなくなる。また膨頭部９ｂの厚みは、空間部の高さより大きくする必要がある。膨頭部９ｂの厚みが空間部の高さ以下の場合、膨頭部９ｂの下面９ｃが抜け止め片７ａの上縁と対向できなくなり、上方からの荷重によって取手６が外れやすくなる。
【００４６】
また図１のように、膨頭部９ｂの外側面を先端ほど幅が細くなる円弧形状とするのが好ましい。脚部９ａを抜け止め片７ａと側壁３ｂで囲まれた空間部に嵌入する過程は、膨頭部９ｂの先端が抜け止め片７ａの内側面下端と接する第１段階と、膨頭部９ｂの外側面が抜け止め片７ａの内側面と擦れ合いながら嵌入が進行する第２段階とに分けられる。膨頭部９ｂの外側面を先端ほど幅が細くなる円弧形状とすれば、膨頭部を幅方向の内方へ押圧しなくても、第１段階から第２段階へスムーズに移行できる。
【００４７】
なお図１では電槽３の側壁３ｂの外面に係止具７を設けた形態を示したが、図２のように蓋５の側壁５ｄに係止具７を設けた形態であっても、本発明の効果が得られることは言うまでもない。
【００４８】
図３は、本発明の取手付き鉛蓄電池における脚部９ａとベルト部８との好ましい位置関係の一例を示す図である。具体的には、脚部９ａとベルト部８の間に隙間９ｅを設けるようにし、この隙間９ｅを終端部９ｄから膨頭部９ｂにかけて徐々に小さくしている。
【００４９】
図３の形態であれば、脚部９ａを抜け止め片７ａと側壁３ｂで囲まれた空間部に嵌入する過程で、脚部９ａが撓むことで膨頭部９ｂの嵌入が円滑に進むようになる。併せて取手付き鉛蓄電池１から取手６を取り外す際にも、膨頭部９ｂを幅方向の内方へ押圧した際に変形量（膨頭部９ｂの移動距離）が大きいため、取手６の取り外しが円滑に進むようになる。すなわち図３の形態は、隙間９ｅの存在に起因して取手６を装着した際に若干のガタツキが生じるものの、取手６の装着と取り外しを頻繁に行う使用状況に適していることになる。
【００５０】
図４は、本発明の取手付き鉛蓄電池における脚部９ａとベルト部８との好ましい位置関係の他の例を示す図である。具体的には、脚部９ａとベルト部８の間に実質的に隙間を設けないようにしている。
【００５１】
図４の形態であれば脚部９ａが撓みにくくなるので、脚部９ａを抜け止め片７ａと側壁３ｂで囲まれた空間部に嵌入した状態において膨頭部９ｂは外れにくくなり、取手付き鉛蓄電池１における取手６の装着性はより強固になる。すなわち図４の形態は、隙間９ｅがないことに起因して取手６の装着や取り外しは困難になるものの、取手６の装着と取り外しを頻繁に行わず強固な装着性を活用する使用状況に適していることになる。
【００５２】
なお、図４のように終端部９ｄとの接触部分において脚部９ａとベルト部８とが一体化している状態であれば、本発明では「実質的に隙間を設けない」とする。図４では樹脂成型の必要性から生じる面取りによって僅かに脚部９ａの下部がベルト部８から乖離しているが、この状態を本発明では「隙間を設ける」とはしない。
【産業上の利用可能性】
【００５３】
本発明は、制御弁式鉛蓄電池を含む各種用途・形式の鉛蓄電池に利用できるが、取手の安定した装着と取り外しが繰り返し行えるので、蓋の上面に設けた液口栓から補水する必要のある液式鉛蓄電池において、特に有用であるといえる。
【符号の説明】
【００５４】
１    取手付き鉛蓄電池
２    極板群
２ａ  正極
２ｂ  負極
２ｃ  セパレータ
３    電槽
３ａ  壁
３ｂ  側壁
４    接続部品
５    蓋
５ａ  正極端子
５ｂ  負極端子
５ｃ  液口栓
５ｄ  側壁
６    取手
７    係止具
７ａ  抜け止め片
７ｂ  溝
７ｃ  空間部
８    ベルト部
９    係合端部
９ａ  脚部
９ｂ  膨頭部
９ｃ  下面
９ｄ  終端部
９ｅ  隙間
１０  屈曲部
【図１】
2011192630.tif 000003
【図２】
2011192630.tif 000004
【図３】
2011192630.tif 000005
【図４】
2011192630.tif 000006